(57)【要約】【課題】目の画像を撮影する際に装置に入射する外光による映り込みの影響を軽減して、認証に適した目の画像を取得し、高精度の認証を行う。【解決手段】虹彩認証装置２０において、外光センサ３５により、装置に入射する外光の波長分布を検出する。波長制御部３７は、検出された波長分布の最大出力の波長を判定する。照明部３２は、判定された波長に基づき、光源２３から、前記波長の光を個人の目に照射する。撮影部３１は、照射された目をカメラ２２で撮影することにより、目の画像を取得する。虹彩認識部３３は、取得された画像から虹彩データを抽出してこの抽出された虹彩データと、虹彩認識辞書３４に予め登録された虹彩データとを照合して、個人を認識する。【選択図】図１
2009193197.tif 000002
【特許請求の範囲】
【請求項１】
撮影手段に入射する外光の波長分布を検出する検出処理と、
前記検出された波長分布の最大出力の波長を判定する判定処理と、
前記判定された波長に基づき、前記波長の光を個人の目に照射する照明処理と、
前記照射された目を前記撮影手段で撮影することにより前記目の画像を取得する画像取得処理と、
前記取得された画像から虹彩データを抽出してこの抽出された虹彩データと予め登録された虹彩データとを照合して前記個人を認識する認識処理と、
を有することを特徴とする虹彩認証方法。
【請求項２】
入射する外光の波長分布を検出する検出手段と、
前記検出された波長分布の最大出力の波長を判定する判定手段と、
前記判定された波長に基づき、前記波長の光を個人の目に照射する照明手段と、
前記照射された目を撮影することにより前記目の画像を取得する撮影手段と、
前記取得された画像から虹彩データを抽出してこの抽出された虹彩データと予め登録された虹彩データとを照合して前記個人を認識する認識手段と、
を有することを特徴とする虹彩認証装置。
【請求項３】
目に照射する光の光量は、ユーザが眩しさを感じない程度で最も明るい光量であることを特徴とする請求項２記載の虹彩認証装置。
【請求項４】
入射する外光の波長分布及び光量を検出する検出手段と、
前記検出された波長分布の最大出力の波長及び光量を判定する判定手段と、
前記判定された波長及び光量に基づき、前記波長及び光量の光を個人の目に照射する照明手段と、
前記照射された目を撮影することにより前記目の画像を取得する撮影手段と、
前記取得された画像から虹彩データを抽出してこの抽出された虹彩データと予め登録された虹彩データとを照合して前記個人を認識する認識手段と、
を有することを特徴とする虹彩認証装置。
【請求項５】
目に照射する光の光量は、ユーザが眩しさを感じない程度で最も明るい光量を上限として、外光の出力強度値を上回る程度の光量であることを特徴とする請求項４記載の虹彩認証装置。
【請求項６】
入射する外光の波長分布を検出する検出手段と、
前記検出された波長分布の複数の出力のピーク値における波長を判定する判定手段と、
前記判定された複数の波長に基づき、前記複数の波長の光を個人の目に照射する複数の照明手段と、
前記照射された目を撮影することにより前記目の画像を取得する撮影手段と、
前記取得された画像から虹彩データを抽出してこの抽出された虹彩データと予め登録された虹彩データとを照合して前記個人を認識する認識手段と、
を有することを特徴とする虹彩認証装置。
【請求項７】
照射する複数の光の光量は、総合してユーザが眩しさを感じない程度で最も明るい光量であることを特徴とする請求項６記載の虹彩認証装置。
【請求項８】
入射する外光の波長分布及び光量を検出する検出手段と、
前記検出された波長分布の複数の出力のピーク値における波長及び光量を判定する判定手段と、
前記判定された複数の波長及び光量に基づき、前記複数の波長及び光量の光を個人の目に照射する複数の照明手段と、
前記照射された目を撮影することにより前記目の画像を取得する撮影手段と、
前記取得された画像から虹彩データを抽出してこの抽出された虹彩データと予め登録された虹彩データとを照合して前記個人を認識する認識手段と、
を有することを特徴とする虹彩認証装置。
【請求項９】
照射する複数の光の光量は、総合してユーザが眩しさを感じない程度で最も明るい光量を上限として、外光の出力強度値を上回る程度の光量であることを特徴とする請求項８記載の虹彩認証装置。
【請求項１０】
波長分布を検出する検出手段に所定の許容範囲を設定し、前記許容範囲から前記波長を判定することを特徴とする請求項６〜９のいずれか１項に記載の虹彩認証装置。
【請求項１１】
個人の目の虹彩から前記個人を認識する虹彩認証装置であって、
入射する外光に応じた複数の波長を記憶する記憶手段と、
前記虹彩認証装置における使用環境の情報を選択可能な入力手段と、
前記入力手段により前記個人が選択した前記使用環境の情報に応じて、前記記憶手段に記憶された１つの波長を選択する選択手段と、
前記選択された波長に基づき、前記波長の光を前記個人の目に照射する照明手段と、
前記照射された目を撮影することにより前記目の画像を取得する撮影手段と、
前記取得された画像から虹彩データを抽出してこの抽出された虹彩データと予め登録された虹彩データとを照合して前記個人を認識する認識手段と、
を有することを特徴とする虹彩認証装置。
【請求項１２】
照射する光の光量は、ユーザが眩しさを感じない程度で最も明るい光量であることを特徴とする請求項１１記載の虹彩認証装置。
【発明の詳細な説明】
【技術分野】
【０００１】
本発明は、人の目の虹彩により個人の認証を行う虹彩認証装置において、目の画像を撮影する際に装置に入射する外光による映り込みの影響を軽減して、認証に適した目の画像を取得し、高精度の認証を行うように制御する技術に関するものである。
【背景技術】
【０００２】
従来、人の目の虹彩部分の画像を用いた虹彩認証装置が、下記の文献等に開示されている。
【０００３】
【特許文献１】特開２００５−３２７１６１号公報
【特許文献２】特開２００８−１５８８４号公報
【０００４】
図１１（Ａ）、（Ｂ）は、特許文献１、２等に記載された従来の携帯端末型虹彩認証装置の概略の構成図であり、同図（Ａ）は携帯端末型虹彩認証装置の外観図、及び、同図（Ｂ）は同図（Ａ）中の虹彩認証装置本体の構成図である。
【０００５】
図１１（Ａ）に示す携帯端末型虹彩認証装置１では、携帯端末本体１ａの背面に、カメラ１ｂと、照明用光源１ｃと、表示部１ｄ等とが搭載されている。照明用光源１ｃは、カメラ１ｂにより目を撮影し、この目の画像を取得する際、発光させて光を目に照射するものであり、その発光に同期してカメラ１ｂのシャッタを動作させ目を撮影するようになっている。
【０００６】
図１１（Ｂ）に示す虹彩認証装置本体１０は、携帯端末本体１ａに内蔵されており、カメラ１ｂを有する撮影部１１、光源１ｃを有する照明部１２、撮影部１１に接続された虹彩認識部１３、及びこの虹彩認識部１３に接続された虹彩認識辞書１４等により構成されている。
【０００７】
撮影部１１では、カメラ１ｂを動作させて、このカメラ１ｂの前方に配置された被写体である目を撮影する。照明部１２は、撮影部１１により目を撮影するタイミングに同期して、光源１ｃを発光させる。虹彩認識部１３では、撮影した目の画像から虹彩データを抽出し、虹彩認識辞書１４に予め格納され登録されている虹彩データと比較することで、利用者が本人かどうかを認識する。
【発明の開示】
【発明が解決しようとする課題】
【０００８】
使用者が携帯端末型虹彩認証装置１を使用する周囲の環境によっては、蛍光灯等の照明や日光等の外光が強い場所になることがある。このような状況では、使用者の立ち居地により外光によって反射した背景が目画像に映り込むことがある。
【０００９】
従来の虹彩認証装置１では、照明部１２の光源１ｃの光と比べ、光量の多い外光によって虹彩に映り込んだ背景の場合、光源１ｃの光を照射しても背景の映り込みが虹彩上に明瞭に映ってしまうため、虹彩部分の微細な文様が、その映り込みに消されてしまい、虹彩データが認証に耐えうる程度の明瞭さで取得できないことがある。その結果、映り込みが明瞭に残った目画像は、そのまま虹彩認識部１３へ送られて処理されるので、虹彩データが抽出できないと判定されて認識不能となるか、あるいは虹彩データが抽出できても欠損を含むデータとなってしまい、照合処理の結果、誤認識となってしまっていた。
【００１０】
このような問題を解決する方法として、外光よりも強い光量の光を光源１ｃから照射することで、背景の映り込みが不明瞭となり、映り込みの影響を軽減できることが経験的に知られている。しかしながら、このような解決方法を採用して強い光量を光源１ｃから照射した場合、ユーザが眩しさを感じてしまい、不快感を感じたり、目を閉じてしまうといった課題があった。
【課題を解決するための手段】
【００１１】
本発明の虹彩認証方法は、撮影手段に入射する外光の波長分布を検出する検出処理と、前記検出された波長分布の最大出力の波長を判定する判定処理と、前記判定された波長に基づき、前記波長の光を個人の目に照射する照明処理と、前記照射された目を前記撮影手段で撮影することにより前記目の画像を取得する画像取得処理と、前記取得された画像から虹彩データを抽出してこの抽出された虹彩データと予め登録された虹彩データとを照合して前記個人を認識する認識処理とを有している。
【００１２】
本発明の虹彩認証装置は、入射する外光の波長分布を検出する検出手段と、前記検出された波長分布の最大出力の波長を判定する判定手段と、前記判定された波長に基づき、前記波長の光を個人の目に照射する照明手段と、前記照射された目を撮影することにより前記目の画像を取得する撮影手段と、前記取得された画像から虹彩データを抽出してこの抽出された虹彩データと予め登録された虹彩データとを照合して前記個人を認識する認識手段とを有している。
【００１３】
本発明の他の虹彩認証装置は、入射する外光の波長分布及び光量を検出する検出手段と、前記検出された波長分布の最大出力の波長及び光量を判定する判定手段と、前記判定された波長及び光量に基づき、前記波長及び光量の光を個人の目に照射する照明手段と、前記照射された目を撮影することにより前記目の画像を取得する撮影手段と、前記取得された画像から虹彩データを抽出してこの抽出された虹彩データと予め登録された虹彩データとを照合して前記個人を認識する認識手段とを有している。
【００１４】
本発明の更に他の虹彩認証装置は、入射する外光の波長分布を検出する検出手段と、前記検出された波長分布の複数の出力のピーク値における波長を判定する判定手段と、前記判定された複数の波長に基づき、前記複数の波長の光を個人の目に照射する複数の照明手段と、前記照射された目を撮影することにより前記目の画像を取得する撮影手段と、前記取得された画像から虹彩データを抽出してこの抽出された虹彩データと予め登録された虹彩データとを照合して前記個人を認識する認識手段とを有している。
【００１５】
本発明の更に他の虹彩認証装置は、入射する外光の波長分布及び光量を検出する検出手段と、前記検出された波長分布の複数の出力のピーク値における波長及び光量を判定する判定手段と、前記判定された複数の波長及び光量に基づき、前記複数の波長及び光量の光を個人の目に照射する複数の照明手段と、前記照射された目を撮影することにより前記目の画像を取得する撮影手段と、前記取得された画像から虹彩データを抽出してこの抽出された虹彩データと予め登録された虹彩データとを照合して前記個人を認識する認識手段とを有している。
【００１６】
本発明の更に他の虹彩認証装置は、個人の目の虹彩から前記個人を認識する虹彩認証装置であって、入射する外光に応じた複数の波長を記憶する記憶手段と、前記虹彩認証装置における使用環境の情報を選択可能な入力手段と、前記入力手段により前記個人が選択した前記使用環境の情報に応じて、前記記憶手段に記憶された１つの波長を選択する選択手段と、前記選択された波長に基づき、前記波長の光を前記個人の目に照射する照明手段と、前記照射された目を撮影することにより前記目の画像を取得する撮影手段と、前記取得された画像から虹彩データを抽出してこの抽出された虹彩データと予め登録された虹彩データとを照合して前記個人を認識する認識手段とを有している。
【発明の効果】
【００１７】
本発明によれば、検出処理を行う検出手段、及び判定処理を行う判定手段を設け、照射光の波長を狭い範囲に限定して従来より強い光量を照射するようにしたので、外光による背景の映り込みの影響が軽減され、且つユーザにとって眩しくない程度で目画像を撮影することが可能となる。これにより、ユーザビリティを向上させ、なお且つ、認証に適した目画像を確実に取得することができるので、使い勝手のよい高精度な虹彩認証装置を提供することが可能となる。
【００１８】
本発明によれば、外光の波長ピークが複数あるような波長分布で、最大ピーク値の波長の照明だけでは映り込みが残る場合に、複数の照明手段により、複数のピーク値の波長の光を照射するようにしているので、映り込みの影響をより確実に軽減することができる。
【００１９】
本発明によれば、入力手段及び選択手段等を設けたので、使用者は装置の使用環境に合った最適な波長を設定することができる。そのため、外光センサを必要とせず、構成が簡単になって低価格を図ることが可能となる。
【発明を実施するための最良の形態】
【００２０】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００２１】
本発明の実施例１は、携帯端末型虹彩認証装置において、外光を検出する検出手段を設けて、装置が使用される環境の外光の波長分布を検出し、当該分布において出力値が最大となるピークの波長の値を判定手段で判定し、外光成分に多く含まれる波長の光のみを照明手段により目に照射するように制御して、撮影手段の目画像に対する外光による背景の映り込みを軽減すると共に眩しさを低減するようにしたものである。以下、その構成、虹彩認証方法、及び効果等を説明する。
【００２２】
（実施例１の携帯端末型虹彩認証装置の構成）
図１（Ａ）、（Ｂ）は、本発明の実施例１を示す携帯端末型虹彩認証装置の概略の構成図であり、同図（Ａ）は携帯端末型虹彩認証装置の外観図、及び、同図（Ｂ）は同図（Ａ）中の虹彩認証装置本体の構成図である。
【００２３】
図１（Ａ）に示す携帯端末型虹彩認証装置２０では、携帯端末装置（例えば、携帯電話機）である携帯端末本体２１の背面に、レンズ、シャッタ等からなるカメラ２２と、光を発生する照明からなる照明用光源２３と、液晶表示器等の表示部２４等とが搭載され、更に、携帯端末本体２１の正面に、図示しないテンキー等の入力手段と表示部等とが設けられている。照明用光源２３は、カメラ２２により目を撮影し、この目の画像を取得する際、光を発生して目を照射するものであり、その光の発生に同期してカメラ２２のシャッタを動作させて目を撮影するようになっている。
【００２４】
図１（Ｂ）に示す虹彩認証装置本体３０は、携帯端末本体２１に内蔵されており、従来とほぼ同様に、撮影手段（例えば、カメラ２２を有する撮影部３１）と、照明手段（例えば、光源２３を有する照明部３２）と、撮影部３１に接続された認識手段（例えば、虹彩認識部３３）と、この虹彩認識部３３に接続された虹彩認識辞書３４等とを有する他に、新たに、検出手段（例えば、外光センサ３５）と、波長記憶部３６と、判定手段（例えば、波長制御部３７）とが追加されている。外光センサ３５の出力側には、波長記憶部３６が接続され、この波長記憶部３６が、波長制御部３７を介して照明部３２に接続されている。
【００２５】
撮影部３１は、カメラ２２のレンズ、シャッタ等を動作させて、カメラ２２の前方に配置された被写体である目を撮影して目の画像を取得するための画像取得処理を行う機能を有している。照明部３２は、撮影部３１により目を撮影するタイミングに同期して、光源２３を発光させて特定の波長の光を目に照射するための照明処理を行う機能を有している。虹彩認識部３３は、撮影部３１から与えられる目の画像から虹彩データを抽出し、虹彩認識辞書３４に予め格納され登録されている虹彩データと比較することで、利用者が本人かどうかを認識するための認識処理を行う機能を有している。
【００２６】
外光センサ３５は、カメラ２２に入射する外光の波長分布を検出するための検出処理を行う機能を有している。波長記憶部３６は、波長制御部３７により制御され、検出された波長分布のデータを記憶するものである。波長制御部３７は、波長記憶部３６に記憶された波長分布のデータから、波長分布の最大出力の波長を判定し、この波長の光を光源２３から発生させるための判定処理を行う機能を有している。
【００２７】
このような虹彩認証機能に必要な各構成は、主に携帯端末本体２１の内部に組み込むソフトウェア、あるいは個別回路で構成されている。
【００２８】
（実施例１の虹彩認証方法）
本実施例１の虹彩認証方法は、外光による背景の映り込みの影響を軽減するために、外光と同じ波長の光を外光より強く照射することで、映り込みの影響を軽減でき、なお且つ波長を限定することで、眩しさも緩和できるという顕著な特徴がある。以下、その虹彩認証方法を説明する。
【００２９】
図２は、本発明の実施例１における波長分布とピーク値波長Ｆを示す図である。更に、図３（Ａ）、（Ｂ）は、本発明の実施例１において従来の目画像と波長Ｆの光の照射後の目画像を示す図であり、同図（Ａ）は従来の目画像を示す図、及び、同図（Ａ）は本実施例１において波長Ｆの光照射によって映り込みが除去された目画像を示す図である。
【００３０】
携帯端末型虹彩認証装置２０の使用に際し、使用者は、外光によって背景の映り込みが発生する環境下でこの携帯端末型虹彩認証装置２０を把持し、虹彩の認証処理を行うために、撮影部３１のカメラ２２を自身の一方の目の前に近づける。そして、図示しない認証開始ボタン（例えば、携帯端末本体２１の正面に設けられたテンキー等のボタン）を押下する。
【００３１】
これにより、外光センサ３５を起動する旨の信号が発信され、これを受信して外光センサ３５が起動する。外光センサ３５は、撮影部３１のカメラ２２に入射する周辺の外光の波長分布を検出し、この検出された波長分布のデータを波長記憶部３６に記憶する。外光センサ３５により検出された外光の波長分布が、図２に示されている。波長分布のデータは、波長の数値データと、その波長に対応した出力強度値として装置内に設けられた波長記憶部３６に記録されている。
【００３２】
波長制御部３７は、波長記憶部３６から、波長のデータを順次読み込み、図２に示すように、最も強度の強い出力のピークでの波長Ｆとその波長Ｆの出力強度値を検出する。そして、波長制御部３７は、検出された波長Ｆのデータに基づき、照明部３２の光源２３の発光照度を制御し、これにより、照明部３２が、波長Ｆでユーザが眩しさを感じない程度で最も明るい光量の光を使用者の目に照射する。ユーザが眩しさを感じない程度で最も明るい光量とは、照明の照度、照明の波長、照射時間、照明と目の位置関係から各装置毎に予め経験的に決められた明るさである。例えば、先ず、照度については、「ＪＩＳ照度基準」等を参考にして、「ごく粗な視作業」に適した明るさである１００lxを基準値にして、その他の各装置の条件を考慮して調整しながら決定される。
【００３３】
図３（Ａ）には、従来の通常の光を目４０に照射する場合において、外光によって背景の映り込みが明瞭に発生した目４０の画像が示されている。目４０には、白目４１と瞳孔４３との間に、生体的特徴を有する虹彩４２がある。図３（Ａ）の状態では、外光による背景の映り込み５０（例えば、家、ビル、車等）が明瞭に残った画像になる。この場合、照明部３２の光源２３の発光は、後述する外光の波長分布とは無関係であり、通常の可視光源での光の発光量を通常程度照射するので、外光による背景の映り込み５０が明瞭に残ったままである。
【００３４】
これに対し、本実施例１のように、波長Ｆでユーザが眩しさを感じない程度で最も明るい光を照射した場合の目画像が図３（Ｂ）に示されている。図３（Ａ）の状態で存在していた外光による背景の映り込み５０が軽減され、虹彩４２の模様が明瞭に撮影される。この場合、光源２３により、可視光の全波長域で均一に照射するのではなく、波長Ｆのみの光の光量を従来より強くして照射するため、全波長域の光を照射する場合に比べて映り込み５０の影響を軽減する一方で、ユーザに眩しくない照明とすることができる。
【００３５】
照明部３２の光源２３により、波長Ｆの光を照射するのに合わせて、撮影部３１のカメラ２２により撮影された目画像のデータは、虹彩認識部３３へ送られる。虹彩認識部３３では、目画像から虹彩データを算出し、この虹彩データと、虹彩認識辞書３４に格納されている虹彩データとの比較を行い、虹彩データの一致する率がある閾値以上の場合、使用者を本人と認識する。
【００３６】
（実施例１の変形例）
本実施例１の変形例としては、例えば、次の（ａ）、（ｂ）のようなものがある。
【００３７】
（ａ）  図４は、波長Ｆの検出に一定の範囲を設定した場合の図１の変形例を示す図である。
【００３８】
本実施例１では、波長Ｆとしては一義的に数値が決まるものとして説明したが、例えば、図４のように、波長Ｆを中心にして、ある一定範囲内の波長Ｆを照明部３２の光源２３にて発光させるようにしてもよい。
【００３９】
（ｂ）  照明部３２の光源２３の光量が外光の出力強度値を上回る場合は、必ずしもユーザが眩しさを感じない程度で最も明るい程度まで光量を上げる必要はなく、外光の出力強度値を上回る程度の光量で十分である。
【００４０】
（実施例１の効果）
本実施例１によれば、虹彩認証装置２０において照射光の波長を狭い範囲に限定して従来より強い光量を照射するようにしたので、外光による背景の映り込み５０の影響が軽減され、且つユーザにとって眩しくない程度で目画像を撮影することが可能となる。これにより、ユーザビリティを向上させ、なお且つ、認証に適した目画像を確実に取得することができるので、使い勝手のよい高精度な虹彩認証装置２０を提供することが可能となる。
【実施例２】
【００４１】
（実施例２の構成）
図５は、本発明の実施例２を示す虹彩認証装置本体の構成図であり、実施例１を示す図１（Ｂ）中の要素と共通の要素には共通の符号が付されている。
【００４２】
本実施例２の虹彩認証装置本体３０Ａは、例えば、実施例１の図１（Ａ）とほぼ同様の携帯端末本体に内蔵されるものであり、照明部３２Ａに複数の光源２３−１〜２３−Ｎ（例えば、Ｎ＝３）を設け、外光の波長分布に複数のピークが存在する場合に、波長制御部３７Ａにより、波長分布の複数のピークから複数の波長を判定し、これらの複数の波長に基づき各光源２３−１〜２３−３を発光させるようにしたものである。その他の構成は、実施例１と同様である。
【００４３】
（実施例２の虹彩認証方法）
図６は、図５の虹彩認証装置において複数の波長ピーク値Ｆ１〜Ｆ３を検出した場合の例を示す図である。
【００４４】
本実施例２の虹彩認証方法では、外光センサ３５により検出された波長分布が例えば図６のようになる場合を想定している。図６では、外光センサ３５により検出された波長分布は複数（例えば、３つ）の出力のピークを有している。このような分布の場合、最大出力の波長Ｆ１だけの照明では背景の映り込みが十分に除去できない場合があり、これに準ずる波長のピークの波長であるＦ２，Ｆ３を検出して、波長Ｆ２，Ｆ３の光も以下のようにして照射する。
【００４５】
波長制御部３７Ａは、波長記憶部３６に記憶された波長のデータを順次読み出し、予め上限と下限が設定された波長の撮影可能波長域の中から、最も強度の強いピークの波長の値Ｆ１、２番目に強度が強いピークの波長Ｆ２、３番目に強度が強いピークの波長Ｆ３を判定する。波長制御部３７Ａは、判定した波長Ｆ１〜Ｆ３の値を照明部３２Ａへ送り、各々の光源２３−１〜２３−３に当該波長Ｆ１〜Ｆ３を割り当てて、光源２３−１〜２３−３の光量を総合してユーザが眩しさを感じない程度で最も明るい程度の発光をさせる。例えば、光源２３−１は波長Ｆ１で発光し、光源２３−２は波長Ｆ２で発光し、光源２３−３は波長Ｆ３で発光する。これにより、波長Ｆ１〜Ｆ３で従来より光量の増した光によって撮影部３１のカメラ２２で目画像が撮影される。
【００４６】
この動作により、単一の照明では十分に映り込みを軽減できないような波長分布においても、実施例１と同様に、外光の映り込みが確実に軽減され、目の画像の細部が明瞭に撮影される。撮影後は、実施例１と同様に虹彩の認証処理が行われる。
【００４７】
（実施例２の変形例）
本実施例２の変形例としては、例えば、次の（ａ）〜（ｄ）のようなものがある。
【００４８】
（ａ）  本実施例２では、光源２３−１〜２３−３の発光は、設定された波長の出力強度の高い順に光源２３−１，２３−２，２３−３の順で照射するものとしたが、これに限らず、点灯される光源２３−１〜２３−３の組み合わせは適宜設定することが可能である。
【００４９】
（ｂ）  図７は、複数の波長ピーク値Ｆ１〜Ｆ３を検出した場合の図５の変形例を示す図である。この図７に示すように、波長Ｆ１〜Ｆ３を中心にして、ある一定範囲内の波長Ｆ１〜Ｆ３を照明部３２の光源２３−１〜２３−３にて発光させるようにしてもよい。
【００５０】
（ｃ）  光源２３−１〜２３−３の光量が外光の出力強度値を上回る場合は、外光の出力強度値を上回る程度の光量で十分であり、必ずしもユーザが眩しさを感じない程度で最も明るい程度まで光量を上げる必要はない。
【００５１】
（ｄ）  本実施例２では、光源２３−１〜２３−Ｎの個数を３個として説明したが、これに限られず、任意の個数設けるようにしてもよく、その場合は、光源２３−１〜２３−Ｎの個数に合わせて、同じ個数の波長を検出して設定するようにすればよい。
【００５２】
（実施例２の効果）
本実施例２によれば、実施例１の構成において、外光の波長ピークが複数あるような波長分布で、最大ピーク値の波長の照明だけでは映り込みが残る場合に、補助的に第２、第３等のピーク値の波長の光を照射するようにしているので、映り込みの影響をより確実に軽減することができる。
【実施例３】
【００５３】
（実施例３の構成）
図８は、本発明の実施例３を示す虹彩認証装置本体の構成図であり、実施例１を示す図１（Ｂ）中の要素と共通の要素には共通の符号が付されている。
【００５４】
本実施例３の虹彩認証装置本体３０Ｂは、例えば、実施例１の図１（Ａ）と同様の携帯端末本体２１に内蔵されるものであり、実施例１の外光センサ３５に代えて、予め、装置の外部の使用環境に合わせて発生するであろう外光の波長のデータを複数個装置内部の記憶手段（例えば、波長記憶部３６Ｂ）に記憶しておき、新たに設けた入力手段（例えば、入力部３８）及び選択手段（例えば、波長選択部３９）により、ユーザ自身が使用環境に合わせて、照明の波長を切り替えるようにしたものである。
【００５５】
入力部３８は、例えば、図１（Ａ）の携帯端末本体２１の正面に設けられた図示しないテンキー等で構成され、虹彩認証装置２０における使用環境の情報を選択可能になっており、この出力側に、波長選択部３９を介して波長記憶部３６Ｂが接続されている。波長選択部３９は、入力部３８によりユーザが選択した使用環境の情報に応じて、波長記憶部３６Ｂに記憶された１つの波長を選択するものであり、この出力側に、波長制御部３７Ｂが接続されている。
【００５６】
ユーザによる波長の切り替えは、例えば、携帯端末本体２１の正面に設けられた図示しない表示部に表示される選択可能なメニュー等から選択することで、波長の設定を行えるようになっている。その他の構成は、実施例１と同様である。
【００５７】
図９は、図８中の波長記憶部３６Ｂに記憶された典型的な波長の設定値を示す図である。
この図９では、波長記憶部３６Ｂに予め記憶されている複数の波長のデータが示されている。例えば、図９中の「室内（蛍光灯有り）」の使用環境においては、蛍光灯の標準的な発光波長である「６２０ｎｍ」のデータが対応付けて記録されている。これらの波長の値は、対応する使用環境に合わせ、当該環境下で使用される照明具等から経験的に知られている値が使用される。
【００５８】
図１０は、図８の虹彩認証装置本体３０Ｂが搭載される図１の携帯端末本体２１の正面に設けられた図示しない表示部の画面に表示された環境設定のメニューの例を示す図である。
【００５９】
（実施例３の虹彩認証方法）
使用者は目の撮影に当たって、例えば、入力部３８を操作し、図１０に示されるような環境設定の画面を表示させる。使用者はその画面の表示から、自分の使用している使用環境を選択する。
【００６０】
使用者が、自ら装置の使用している周囲の環境を判断し、環境設定の画面から、例えば、「室内（蛍光灯有り）」を選択すると、波長制御部３７Ｂの制御により、波長選択部３９は波長記憶部３６Ｂを参照し、「室内（蛍光灯有り）」に対応する波長データ「６２０ｎｍ」（＝Ｆとする）を読み出す。波長制御部３７Ｂは、読み出した波長Ｆのデータを照明部３２へ送り、照明部３２の光源２３が波長Ｆ（＝６２０ｎｍ）の光を目に照射する。これにより、外光による背景の映り込みが軽減される。以降は、実施例１と同様に、目画像を撮影して虹彩の認証処理が行われる。
【００６１】
（実施例３の効果）
本実施例３によれば、使用者は装置の画面の表示に従って、装置の使用環境に合った最適な波長を設定することができるので、外光センサを必要とせず、構成が簡単になって低価格を図ることが可能となる。
【００６２】
（実施例１〜３の他の変形例）
実施例１〜３の他の変形例としては、例えば、次の（ａ）、（ｂ）のようなものがある。
【００６３】
（ａ）  実施例においては、各虹彩認証装置本体３０，３０Ａ，３０Ｂを搭載する携帯端末本体２１を携帯電話機の例で説明したが、携帯端末本体２１はＰＤＡ（Personal  Digital  Assistant）等の他の携帯端末装置でもよい。又、図１（ｂ）、図５、図８の虹彩認証装置本体３０，３０Ａ，３０Ｂは、精度の向上や用途の拡大等を図るために、図示以外の他の機能ブロックを追加する等してもよい。
【００６４】
（ｂ）  虹彩認証装置２０は、携帯端末装置に搭載されものとして説明したが、これに限らず、上記構成を据え置き型の装置に設けるようにしてもよい。
【産業上の利用可能性】
【００６５】
実施例では、人の目の虹彩認証方法及び虹彩認証装置について説明したが、本発明は、人以外の動物等の目の虹彩認識にも利用可能である。
【図面の簡単な説明】
【００６６】
【図１】本発明の実施例１を示す携帯端末型虹彩認証装置の概略の構成図である。
【図２】本発明の実施例１における波長分布とピーク値波長Ｆを示す図である。
【図３】本発明の実施例１において従来の目画像と波長Ｆの光の照射後の目画像を示す図である。
【図４】波長Ｆの検出に一定の範囲を設定した場合の図１の変形例を示す図である。
【図５】本発明の実施例２を示す虹彩認証装置本体の構成図である。
【図６】図５の虹彩認証装置において複数の波長ピーク値Ｆ１〜Ｆ３を検出した場合の例を示す図である。
【図７】複数の波長ピーク値Ｆ１〜Ｆ３を検出した場合の図５の変形例を示す図である。
【図８】本発明の実施例３を示す虹彩認証装置本体の構成図である。
【図９】図８中の波長記憶部３６Ｂに記憶された典型的な波長の設定値を示す図である。
【図１０】図８の虹彩認証装置本体３０Ｂが搭載される図１の携帯端末本体２１の正面の画面に表示された環境設定のメニューの例を示す図である。
【図１１】従来の携帯端末型虹彩認証装置の概略の構成図である。
【符号の説明】
【００６７】
２０      虹彩認証装置
２１      携帯端末本体
２２      カメラ
２３，２３−１〜２３−Ｎ      光源
２４      表示部
３０，３０Ａ，３０Ｂ      虹彩認証装置本体
３１      撮影部
３２，３２Ａ      照明部
３３      虹彩認識部
３４      虹彩認識辞書
３５      外光センサ
３６，３６Ｂ      波長記憶部
３７，３７Ａ，３７Ｂ      波長制御部
３８      入力部
３９      波長選択部
【図１】
2009193197.tif 000003
【図２】
2009193197.tif 000004
【図３】
2009193197.tif 000005
【図４】
2009193197.tif 000006
【図５】
2009193197.tif 000007
【図６】
2009193197.tif 000008
【図７】
2009193197.tif 000009
【図８】
2009193197.tif 000010
【図９】
2009193197.tif 000011
【図１０】
2009193197.tif 000012
【図１１】
2009193197.tif 000013